(57)【要約】【課題】糞尿を安全かつ容易に、くさい臭いを出さない状態に処理することができる簡易トイレおよびこの簡易トイレに用いられるトイレ用防熱部材を提供する。【解決手段】糞尿および糞尿処理剤３０が投入される開口穴を有する第１容器２と、前記第１容器２の内壁から離隔して前記第１容器２に回転可能に取り付けられて糞尿および糞尿処理剤３０を収納できるとともに、収納された糞尿および糞尿処理剤３０を撹拌する撹拌翼１６が設けられた撹拌容器１０と、を有することを特徴とする簡易トイレ１である。【選択図】図１２
2007136154.tif 000002
【特許請求の範囲】
【請求項１】
糞尿および糞尿処理剤が投入される開口穴を有する第１容器と、
前記第１容器の内壁から離隔して前記第１容器に取り付けられて糞尿および糞尿処理剤を収納できるとともに、収納された糞尿および糞尿処理剤を撹拌する撹拌翼が設けられた撹拌容器と、を有することを特徴とする簡易トイレ。
【請求項２】
前記撹拌容器は、前記第１容器に対して回転可能に取り付けられ、前記撹拌翼は、前記第１容器および前記撹拌容器に回転可能に取り付けられることを特徴とする請求項１に記載の簡易トイレ。
【請求項３】
前記第１容器に着脱可能に連結され、前記撹拌容器から排出された糞尿を収納する第２容器を更に有することを特徴とする請求項１または２に記載の簡易トイレ。
【請求項４】
前記第１容器の一端には第１容器開口部が形成され、前記第２容器の一端には第２容器開口部が形成され、前記第１容器と第２容器の端部同士が嵌合的に連結することにより、前記第１容器開口部と第２容器開口部が連通することを特徴とする請求項３に記載の簡易トイレ。
【請求項５】
前記第１容器の一端に第１容器開口部が形成され、当該第１容器開口部から前記第１容器の内部に搬入出可能な第２容器を有することを特徴とする請求項３に記載の簡易トイレ。
【請求項６】
前記第１容器の外周面には、当該第１容器を第２容器開口部に嵌合した際に、第２容器開口部の端部が接する突出部が形成されることを特徴とする請求項４に記載の簡易トイレ。
【請求項７】
前記突出部は、前記第１容器の外周面で周方向に連なるリードであることを特徴とする請求項６に記載の簡易トイレ。
【請求項８】
前記撹拌翼を回転させる撹拌翼回転軸が、前記撹拌容器を回転させる撹拌容器回転軸の内部を貫通しており、前記撹拌容器回転軸は、前記第１容器に取り付けられた止め部により前記第１容器に対して固定可能であることを特徴とする請求項１〜７のいずれか１項に記載の簡易トイレ。
【請求項９】
前記撹拌回転軸は、ハンドルに連結されていることを特徴とする請求項８に記載の簡易トイレ。
【請求項１０】
前記第２容器には、内側に糞尿処理袋が被せられることを特徴とする請求項３〜９のいずれか１項に記載の簡易トイレ。
【請求項１１】
前記撹拌容器は、外表面が半球形状を呈する半球形状部を有することを特徴とする請求項１〜１０のいずれか１項に記載の簡易トイレ。
【請求項１２】
前記第１容器の内側には、開口穴の設けられる側の反対方向へ傾斜した少なくとも１つのシュートが設けられることを特徴とする請求項１〜１１のいずれか１項に記載の簡易トイレ。
【請求項１３】
前記第１容器の開口穴を覆い、かつ排気孔が設けられた第１容器蓋を有することを特徴とする請求項１〜１２のいずれか１項に記載の簡易トイレ。
【請求項１４】
前記排気孔には、フィルターが設けられることを特徴とする請求項１３に記載の簡易トイレ。
【請求項１５】
前記第１容器の開口穴を覆い、かつ不織布で形成された蓋状フィルターが設けられることを特徴とする請求項１〜１２のいずれか１項に記載の簡易トイレ。
【請求項１６】
前記蓋状フィルターは、内部に活性炭の層が設けられることを特徴とする請求項１５に記載の簡易トイレ。
【請求項１７】
開口部を有する容器と、
前記開口部に取り付けられるＵ字型の取り付け部と、
前記取り付け部に着脱自在であるハンドルと、
前記ハンドルの軸心と交差する軸心を有し、前記ハンドルとギアを介して回転可能に連結され、糞尿と糞尿処理剤を混合する撹拌翼と、を有することを特徴とする簡易トイレ。
【請求項１８】
開口部を有する容器と、
前記容器の内部の中央に開閉自在に取り付けられ、前記開口部から投入された糞尿および糞尿処理剤を受ける開閉板と、
前記容器の外部に取り付けられ、前記開閉板に連結されて当該開閉板を開閉させるペダルと、を有することを特徴とする簡易トイレ。
【請求項１９】
糞尿を糞尿処理剤と混合して水分を蒸発させる簡易トイレに用いられるトイレ用防熱部材であって、
前記簡易トイレに被せられる筐体であり、簡易トイレの糞尿が投入される穴部に対応して防熱部材穴部が形成され、当該防熱部材穴部が設けられる面と反対面が開放されていることを特徴とするトイレ用防熱部材。
【請求項２０】
前記トイレ用防熱部材は、前記防熱部材穴部が設けられる面と開放されている面との間に形成される側面に、露出穴が設けられることを特徴とする請求項１９に記載のトイレ用防熱部材。
【発明の詳細な説明】
【技術分野】
【０００１】
本発明は、簡易トイレおよびトイレ用防熱部材に関し、特に、糞尿処理剤を用いた簡易トイレおよびトイレ用防熱部材に関する。
【背景技術】
【０００２】
一般に、トイレは、糞尿を水とともに下水道に流す水洗式のものと、タンクに溜めておく汲み取り式のものに大別することができる。水洗式のものの場合、糞尿は水とともに下水道に流され、下水処理場で処理される。汲み取り式のものの場合、バキュームカーが来てタンクから糞尿を汲み取り、下水処理場に運ばれて処理される。
【０００３】
下水処理場において、糞尿を含む汚水は浄化槽に溜められ、ここで糞尿中の有機物はバクテリアの呼吸作用の利用によって酸化除去され、その後、水分は何段階かの処理を経て浄化され、河川に放流される。
【０００４】
ところで、大きな地震が起きると、水道が止まり、トイレが使用できなくなり、各家庭では糞尿が大量に溜まってしまう。大量に溜まった糞尿からはくさい臭いが発散し続け、そのままにしておくとこの臭いにより生活環境が著しく悪化してしまう。そこで、一般には糞尿をポリ袋に入れ、密閉状態でとりあえず保管しておく方法が採られている。
【０００５】
しかし、ポリ袋は破損し易く、保管中に破損して破損箇所から糞尿が漏れ出し、辺りにくさい臭いを発散させてしまうことが多い。また、ポリ袋に入れられた糞尿は時間とともに腐敗が進行してくさいガスが溜り、その圧力でポリ袋からくさいガスが漏れ出してしまう。このため、糞尿の簡易かつ有効な処理方法ないし処理設備が望まれていた。
【０００６】
このような不具合を解消するため、糞尿に生石灰等の糞尿処理剤３０を混合することにより、糞尿の水分の一部を生石灰と反応させつつ、この反応によって発生する熱によって水分を蒸発させ、糞尿を乾燥した顆粒状にする簡易トイレが提案されている（例えば、特許文献１参照）。
【０００７】
しかしこの簡易トイレでは、便器兼用の容器内に残る顆粒状の残留物を取り除く手間がかかり、例えば災害時に毎回処理を行う上で非常に煩雑である。また、この容器内で糞尿と糞尿処理剤が反応して発熱するため、容器が高温となり、火傷の虞や取り扱いが不便となる等の不具合も生じる。
【特許文献１】特開平０９−２３４１７２号公報
【発明の開示】
【発明が解決しようとする課題】
【０００８】
本発明は、上記従来技術に伴う課題を解決するためになされたものであり、糞尿を安全かつ容易に、くさい臭いを出さない状態に処理することができる簡易トイレを提供し、更に、この簡易トイレに用いられるトイレ用防熱部材を提供することを目的とする。
【課題を解決するための手段】
【０００９】
上記目的は、下記（１）〜（２０）に記載の発明により達成される。
【００１０】
（１）糞尿および糞尿処理剤が投入される開口穴を有する第１容器と、前記第１容器の内壁から離隔して前記第１容器に取り付けられて糞尿および糞尿処理剤を収納できるとともに、収納された糞尿および糞尿処理剤を撹拌する撹拌翼が設けられた撹拌容器と、を有することを特徴とする簡易トイレである。
【００１１】
（２）前記撹拌容器は、前記第１容器に対して回転可能に取り付けられ、前記撹拌翼は、前記第１容器および前記撹拌容器に回転可能に取り付けられることを特徴とする上記（１）に記載の簡易トイレである。
【００１２】
（３）前記第１容器に着脱可能に連結され、前記撹拌容器から排出された糞尿を収納する第２容器を更に有することを特徴とする上記（１）または（２）のいずれか１つに記載の簡易トイレである。
【００１３】
（４）前記第１容器の一端には第１容器開口部が形成され、前記第２容器の一端には第２容器開口部が形成され、前記第１容器と第２容器の端部同士が嵌合的に連結することにより、前記第１容器開口部と第２容器開口部が連通することを特徴とする上記（３）に記載の簡易トイレである。
【００１４】
（５）前記第１容器の一端に第１容器開口部が形成され、当該第１容器開口部から前記第１容器の内部に搬入出可能な第２容器を有することを特徴とする上記（３）に記載の簡易トイレである。
【００１５】
（６）前記第１容器の外周面には、当該第１容器を第２容器開口部に嵌合した際に、第２容器開口部の端部が接する突出部が形成されることを特徴とする上記（４）に記載の簡易トイレである。
【００１６】
（７）前記突出部は、前記第１容器の外周面で周方向に連なるリードであることを特徴とする上記（６）に記載の簡易トイレである。
【００１７】
（８）前記撹拌翼を回転させる撹拌翼回転軸が、前記撹拌容器を回転させる撹拌容器回転軸の内部を貫通しており、前記撹拌容器回転軸は、前記第１容器に取り付けられた止め部により前記第１容器に対して固定可能であることを特徴とする上記（１）〜（７）のいずれか１つに記載の簡易トイレである。
【００１８】
（９）前記撹拌回転軸は、ハンドルに連結されていることを特徴とする上記（８）に記載の簡易トイレに記載の簡易トイレである。
【００１９】
（１０）前記第２容器には、内側に糞尿処理袋が被せられることを特徴とする上記（３）〜（９）のいずれか１つに記載の簡易トイレである。
【００２０】
（１１）前記撹拌容器は、外表面が半球形状を呈する半球形状部を有することを特徴とする上記（１）〜（１０）のいずれか１つに記載の簡易トイレである。
【００２１】
（１２）第１容器の内側には、開口穴の設けられる側の反対方向へ傾斜した少なくとも１つのシュートが設けられることを特徴とする上記（１）〜（１１）のいずれか１つに記載の簡易トイレである。
【００２２】
（１３）前記第１容器の開口穴を覆い、かつ排気孔が設けられた第１容器蓋を有することを特徴とする上記（１）〜（１２）のいずれか１つに記載の簡易トイレである。
【００２３】
（１４）前記排気孔には、フィルターが設けられることを特徴とする上記（１３）に記載の簡易トイレである。
【００２４】
（１５）前記第１容器の開口穴を覆い、かつ不織布で形成された蓋状フィルターが設けられることを特徴とする上記（１）〜（１２）のいずれか１つに記載の簡易トイレである。
【００２５】
（１６）前記蓋状フィルターは、内部に活性炭の層が設けられることを特徴とする上記（１５）に記載の簡易トイレである。
【００２６】
（１７）開口部を有する容器と、前記開口部に取り付けられるＵ字型の取り付け部と、前記取り付け部に着脱自在であるハンドルと、前記ハンドルの軸心と交差する軸心を有し、前記ハンドルとギアを介して回転可能に連結され、糞尿と糞尿処理剤を混合する撹拌翼と、を有することを特徴とする簡易トイレである。
【００２７】
（１８）開口部を有する容器と、前記容器の内部の中央に開閉自在に取り付けられ、前記開口部から投入された糞尿および糞尿処理剤を受ける開閉板と、前記容器の外部に取り付けられ、前記開閉板に連結されて当該開閉板を開閉させるペダルと、を有することを特徴とする簡易トイレである。
【００２８】
（１９）糞尿を糞尿処理剤と混合して水分を蒸発させる簡易トイレに用いられるトイレ用防熱部材であって、前記簡易トイレに被せられる筐体であり、簡易トイレの糞尿が投入される穴部に対応して防熱部材穴部が形成され、当該防熱部材穴部が設けられる面と反対面が開放されていることを特徴とするトイレ用防熱部材である。
【００２９】
（２０）前記トイレ用防熱部材は、前記防熱部材穴部が設けられる面と開放されている面との間に形成される側面に、露出穴が設けられることを特徴とする上記（１９）に記載のトイレ用防熱部材である。
【発明の効果】
【００３０】
上記（１）に記載の発明によれば、撹拌容器が第１容器の内壁から離隔して設けられるため、糞尿と糞尿処理剤の反応により発生する熱が第１容器に伝わり難く、火傷等の発生を抑止できる。
【００３１】
また、上記（２）に記載の発明によれば、撹拌翼が設けられた撹拌容器が第１容器に回転可能に取り付けられているため、撹拌翼により糞尿および糞尿処理剤を撹拌して処理した後、撹拌容器を回転させて処理済みの糞尿を撹拌容器から排出できる。また、撹拌翼が第１容器および撹拌容器のそれぞれに対して回転可能に取り付けられるため、糞尿と糞尿処理剤を撹拌する際に、撹拌容器を第１容器に固定した状態で撹拌翼のみを回転させることができる。
【００３２】
また、上記（３）に記載の発明によれば、第１容器に着脱可能に連結され第２容器が設けられるため、第１容器で処理した糞尿を第２容器に収納した後、第１容器と第２容器を分離することにより、処理済みの糞尿を容易に回収することができる。
【００３３】
また、上記（４）に記載の発明によれば、第１容器と第２容器が嵌合的に連結されるため、第１容器を第２容器から取り外すことにより、撹拌容器から排出されて第２容器に落とされた処理済みの糞尿を容易に回収することができる。また、嵌合的に連結されることにより、着脱が容易であるとともに、簡易トイレの使用時に互いに外れる危険性が低い。
【００３４】
また、上記（５）に記載の発明によれば、第１容器に挿入可能な第２容器が設けられるため、撹拌容器から排出されて第２容器に落とされた処理済みの糞尿を容易に回収することができる。
【００３５】
また、上記（６）に記載の発明によれば、第１容器に設けられる突出部により第２容器開口部の端部を保持するため、第１容器と第２容器の間でガタのない良好な連結が可能となる。
【００３６】
また、上記（７）に記載の発明によれば、突出部として第１容器の外周面で周方向に連なるリードを用いるため、作製時の加工が容易である。また、第１容器に汎用品のペール缶を加工して使用する際に、ペール缶に設けられているリードをそのまま使用できるため、コストを削減することができる。
【００３７】
また、上記（８）に記載の発明によれば、第１容器に取り付けられた止め部により撹拌容器回転軸を固定できるため、撹拌翼を回転させて糞尿と糞尿処理剤を撹拌する際に、撹拌容器を第１容器に固定した状態に保持することができる。また、撹拌が終了した後には、止め部から撹拌容器回転軸を開放し、撹拌容器を第１容器に対して回転させて処理済みの糞尿を撹拌容器から排出することができる。
【００３８】
また、上記（９）に記載の発明によれば、ハンドルを用いて撹拌翼を回転させることができるため、手を汚さずに容易に撹拌することができ、また電力を必要としないため、例えば災害時等で使用できる。
【００３９】
また、上記（１０）に記載の発明によれば、第２容器の内側に糞尿処理袋が被せられるため、撹拌容器から落とされた処理済みの糞尿がこの糞尿処理袋の中に溜まり、手を汚すことなく容易に簡易トイレから糞尿を取り除くことができる。
【００４０】
また、上記（１１）に記載の発明によれば、撹拌容器に半球形状部が設けられるため、撹拌容器と第１容器の間の隙間を小さくすることができ、下方へ落とされた処理物が粉塵となって再び上方へ巻き上がることを防ぐことができる。  また、上記（１２）に記載の発明によれば、第１容器の内側に、穴部の設けられる側の反対方向へ傾斜したシュートが設けられるため、シュートを通った処理済の糞尿が粉塵となって再び第１容器の穴部の方向へ巻き上がることを防ぐことができる。
【００４１】
また、上記（１３）に記載の発明によれば、第１容器の穴部を覆い、かつ排気孔が設けられた第１容器蓋が設けられるため、糞尿および糞尿処理剤の反応により発生する水蒸気を外部へ排出することができる。
【００４２】
また、上記（１４）に記載の発明によれば、排気孔にフィルターが設けられるため、フィルターを通過する処理物の粉末や臭気の拡散を防止することができる。
【００４３】
また、上記（１５）に記載の発明によれば、第１容器の開口穴に、不織布で形成された蓋状フィルターが設けられるため、糞尿および糞尿処理剤の反応により発生する水蒸気を外部へ排出でき、かつ処理物の粉末や臭気の拡散を防止することができる。
【００４４】
また、上記（１６）に記載の発明によれば、蓋状フィルターの内部に活性炭の層が設けられるため、処理物の粉末や臭気の拡散を防止することができる。
【００４５】
また、上記（１７）に記載の発明によれば、容器に着脱自在にハンドルが設けられるため、糞尿が投入された後に開口部から撹拌翼を挿入することができる。
【００４６】
また、上記（１８）に記載の発明によれば、開閉板が設けられることにより、処理済みの糞尿を容器の下部に落とすことができ、容器の下部に糞尿を保管することができる。
【００４７】
また、上記（１９）に記載の発明によれば、簡易トイレに被せられるトイレ用防熱部材を有しているため、糞尿と糞尿処理剤の反応により発生する蒸気により熱せられる簡易トイレが覆われ、火傷等の発生を防止できる。
【００４８】
また、上記（２０）に記載の発明によれば、露出穴が設けられるため、ハンドルを有する簡易トイレに使用する場合に、露出穴からハンドルを露出させることができ、簡易トイレにトイレ用防熱部材を被せたままハンドルを操作できる。
【発明を実施するための最良の形態】
【００４９】
本発明の実施の形態を、図面を参照しつつ説明する。
【００５０】
＜第１実施形態＞
図１は第１実施形態に係る簡易トイレの保管時の状態を示す全体斜視図、図２は第１実施形態に係る簡易トイレの第２容器を示す斜視図、図３は第２容器の縦断面図、図４は第１実施形態に係る簡易トイレの第１容器を示す斜視図、図５は第１容器の縦断面図、図６は図５のＶＩ−ＶＩ線に沿う断面図、図７は図６のＶＩＩ−ＶＩＩ線に沿う断面図、図８は第１容器の外周に設けられるレバーを説明するための第１容器の部分斜視図、図９は第１実施形態に係る簡易トイレの第１容器蓋の他の例を示す斜視図である。
【００５１】
第１実施形態に係る簡易トイレ１は、図１に示すように、第１容器２と、第１容器２の下に配置された第２容器３とを有している。
【００５２】
第１容器２及び第２容器３の材質は、例えば鉄、アルミまたはステンレス等の金属や、樹脂等により作製できるが、特に限定するものではない。本実施形態では、第１容器２および第２容器３は、いずれも汎用のペール缶を加工して作製しており、例えば１３ｌまたは１６ｌ用のペール缶を用いること、および第１容器２に２０ｌ用を用いて第２容器３に１５ｌ用を用いることができることを確認しているが、他の容量の缶を使用することもできる。また、当然に、ペール缶を使用せずに作製することもでき、汎用品を用いることなく作製することも可能である。
【００５３】
第２容器３は、図２，３に示すように、上端に第２容器開口部４が設けられて下端が閉じた筒形状の部材である。簡易トイレ１の保管時には、第２容器開口部４には第２容器蓋５が被せられている。また、第２容器３には、持ち運び込みの利便性のために取手２１Ａが取り付けられている。
【００５４】
第１容器２は、図４，５に示すように、下端に第１容器開口部６が設けられた筒形状の部材である。第１容器２の上端には、中央に穴部７が設けられた漏斗形状の受け部８が開口穴２Ａに設置されており、したがって、穴部７から第１容器開口部６まで貫通する構造となっている。
【００５５】
受け部８と第１容器開口部６の間には、第１容器２の外周面から突出したリード９が形成されている。リード９は、第１容器２の外周面を周るように連なって形成され、例えばプレス加工等により容易に形成できる。また、第１容器２に汎用品のペール缶を加工して使用する際に、ペール缶に設けられているリードをそのまま使用できるため、コストを削減することができる。
【００５６】
第１容器２の内部には、第１容器２の内壁から離隔して撹拌容器１０が設けられる。この撹拌容器１０は、第１容器２の側面に設けられる第１軸受部１１に回転可能に連結された撹拌容器回転軸１２の先端に固定的に取り付けられている。したがって、撹拌容器１０は第１容器２に対して回転可能であり、糞尿を収容するために撹拌容器１０に形成される糞尿収容口１３の開口方向を、穴部７に向かう方向から第１容器開口部６に向かう方向まで変更できる。
【００５７】
撹拌容器回転軸１２には、図６，８に示すように、第１容器２の外側で、軸心から外側へ延びるレバー１４が形成されている。このレバー１４が第１容器２に固定された止め部１５に係合されることにより、撹拌容器回転軸１２を第１容器２に対して回転しないように固定できる。
【００５８】
撹拌容器１０の内部には、図５，６に示すように、撹拌翼１６が設けられており、撹拌容器１０を貫通する撹拌軸１７にこの撹拌翼１６が固定されている。この撹拌軸１７は、撹拌容器回転軸１２の内部を撹拌容器回転軸１２に対して回転可能に貫通し、さらに、第１容器２の側面に第１軸受部１１と対向して設けられる第２軸受１８に、回転可能に連結されている。したがって、撹拌翼１６は、第１容器２に対して撹拌容器１０と独立して回転できる構造となっている。また、撹拌軸１７の一端にはハンドル２４が取り付けられており、撹拌軸１７を手動で回転させることができる。
【００５９】
撹拌容器回転軸１２には、第１容器２の内壁と撹拌容器１０との間に規制部材２５が回転自在に設けられており、この規制部材２５が撹拌容器１０の軸方向の位置を規制している。
【００６０】
第１容器２の上端には、受け部８を覆うように第１容器蓋１９を被せることができる。この第１容器蓋１９には、複数の排気孔２０が形成されている。また、第１容器２には、持ち運び込みの利便性のために取手２１Ｂが取り付けられている。また、第１容器蓋の他の例として、図９に示すように、１つの排気孔２０’が設けられた第１容器蓋１９’を使用してもよく、排気孔の数や形状に限定はない。
【００６１】
また、簡易トイレ１は、図１０に示すように、複数の脚に便座が取り付けられた便座イス２３を有している。この便座イス２３は、本実施形態では既製品を使用しているが、この形態に限定されず様々な形態とすることができ、例えば折りたたみ式とすることもできる。
【００６２】
簡易トイレ１を実際に使用する際には、図１１に示す使用例ように、テントの内部に設置することで外部から隔離することができる。これにより、例えば災害時の避難所等でも安心して使用することができる。
【００６３】
次に、本実施形態に係る簡易トイレ１の保管方法について説明する。
【００６４】
簡易トイレ１を保管する際には、第２容器３に第２容器蓋５を被せた状態で、この第２容器蓋５の上に第１容器２を重ねる。第１容器２は、第２容器蓋５に設けられる窪み５Ａに安定的に保持される。また、第１容器２の第１容器蓋１９にも同様に窪み１９Ａが形成されており、この窪み１９Ａに他の簡易トイレを順次重ねることができる。このため、本実施形態に係る簡易トイレ１は省スペースに重ねて保管することができ、保管性に優れている。
【００６５】
第２容器３に内部には、糞尿処理剤３０および糞尿処理袋２２が複数収納されている（図２参照）。また、トイレットペーパー等を一緒に収納してもよい。
【００６６】
糞尿処理剤３０は、一回の処理に使用する量毎に小分けして袋詰めされている。糞尿処理剤３０には、例えば高級脂肪酸、パラフィンまたはアミン類（ステアリルアミン）等で被覆した生石灰（酸化カルシウム）が使用され、この被覆剤の量は、生石灰に対して０．１〜３重量％程度である。ただし、糞尿処理剤３０には被覆剤で被覆していない生石灰や、被覆したものと被覆していないものを混合したものを使用することもでき、更に他の材料を使用することもでき、特に限定するものではない。
【００６７】
糞尿処理袋２２は、簡易トイレ１の使用時に第２容器３の内側を覆うことができる大きさを有しており、この糞尿処理袋２２が折り畳まれて第２容器３に保管されている。この糞尿処理袋２２には、例えば、袋の口部に、口部を閉じるための紐が取り付けられていることが好ましい。糞尿処理袋２２の材質は、例えばビニール製とすることができるが、他の材質とすることもできる。ただし、糞尿処理袋２２は、後述する糞尿処理剤３０と水の反応により発生する水蒸気に晒される可能性があるため、１００℃以上の耐熱性を有していることが好ましい。
【００６８】
糞尿処理剤３０および糞尿処理袋２２は、纏めて一つの袋等に入れて第２容器３に保管することが好ましいが、それぞれを個別に第２容器３に収納することもできる。
【００６９】
また、本実施形態では、第２容器３に備蓄用の汎用品であるペール缶を使用しているため、密封性に優れるとともに重ねた際の上からの力に強く、糞尿処理剤３０の保管性に優れている。
【００７０】
次に、本実施形態に係る簡易トイレ１の使用方法について説明する。
【００７１】
図１０は本実施形態に係る簡易トイレの便座イスを示す斜視図、図１１は本実施形態に係る簡易トイレの使用例を示す斜視図、図１２は糞尿と糞尿処理剤を混合する際の簡易トイレの縦断面図、図１３は糞尿と糞尿処理剤が反応する際の簡易トイレの縦断面図、図１４は第１容器蓋の下面を示す平面図、図１５は処理された糞尿を処理容器から排出する際の簡易トイレの縦断面図、図１６は処理された糞尿を回収した糞尿処理袋を取り出す際の簡易トイレの縦断面図、図１７はトイレ用防熱部材を示す斜視図、図１８はトイレ用防熱部材を使用した際の簡易トイレを示す斜視図、図１９はトイレ用防熱部材を備えた簡易トイレを保管する際を示す斜視図である。
【００７２】
簡易トイレ１を使用する際には、まず、第２容器３に重ねられた第１容器２を第２容器３から別の場所に下ろす。この際、第１容器２には取手２１Ｂが設けられているため、容易に移動させることができる。次に、第２容器３の第２容器蓋５を外し、内部に保管されている糞尿処理剤３０、糞尿処理袋２２、およびその他の全てを第１容器２の外に取り出す。この際、収納物の全てが１つの袋等に収納されていれば、より容易に取り出すことができる。
【００７３】
次に、折り畳まれた糞尿処理袋２２の１つを開き、第２容器３の内側に、第２容器開口部４から被せる。この後、第２容器開口部４に、糞尿処理袋２２を介在させた状態で第１容器２の下端を嵌合させる。このとき、第２容器開口部４の縁に、糞尿処理袋２２を介して第１容器２のリード９が保持される。これにより、第１容器２と第２容器３の間でガタのない良好な連結が可能となる。
【００７４】
次に、第１容器２の蓋を取り、その上に便座が取り付けられた便座イス２３を設置する（図１０参照）。なお、便座イス２３の代わりに、例えば便座のみを第１容器２の上端に取り付ける形態とすることもできる。
【００７５】
便座には、便座シートを載せることもできる。便座シートを、糞尿と一緒に撹拌容器１０内で粉砕することも可能である。
【００７６】
簡易トイレ１の使用時には、撹拌容器回転軸１２に形成されるレバー１４が止め部１５に嵌っており、撹拌容器１０の糞尿収容口１３が穴部７の方向（上方向）を向いた状態で保持される。
【００７７】
簡易トイレ１が使用されると、図１２に示すように、糞尿が穴部７を通って撹拌容器１０内に収容される。このとき、第１容器２の上端には受け部８が設けられているため、第１容器２の内壁面と撹拌容器１０との間に存在する空間に糞尿が入ることを防止できる。なお、本発明ではトイレットペーパーや便座シートも糞尿と一緒に処理できるため、使用されたトイレットペーパーや便座シートを撹拌容器１０内に投入することができる。
【００７８】
次に、袋詰めされている糞尿処理剤３０の袋の１つを開き、糞尿処理剤３０を穴部７から撹拌容器１０内に投入する。この後、第１容器蓋１９を第１容器２に被せる。ただし、第１容器２に被せなくてもこの後の処理は可能である。
【００７９】
次に、ハンドル２４を回転させ、撹拌容器１０の内部の撹拌翼１６を回転させて糞尿と糞尿処理剤３０を混合させる。この際、止め部１５によって撹拌容器回転軸１２の回転が抑制されるため、撹拌容器１０は糞尿収容口１３が上方を向いたまま保持されている。
【００８０】
糞尿と糞尿処理剤３０が混合されると、糞尿処理剤３０中の生石灰が糞尿の水分と反応し、消石灰になるとともに発熱する。そして、糞尿中の水分の一部はこの反応により消石灰中に吸収され、また、他の水分はこの熱によって蒸発し、泥状の糞尿は乾燥した顆粒状のものになる。
【００８１】
さらに、糞尿はこの反応熱によって殺菌されると同時に、消石灰に包まれ、出来上がったものは糞尿の匂いが殆どしなくなる。
【００８２】
そして、反応により発生した蒸気は、図１３に示すように、第１容器蓋１９の排気孔２０から外部に放出される。この排気孔２０には、例えば図１４に示すように、処理物の粉末や臭気の拡散を防止するために、活性炭や樹脂フエルトをフィルター３３として設置することができる。また、第１容器２の壁面に排気孔が設けられてもよい。第１容器蓋が図９に示すような他の形態である場合には、その排気孔２０’を塞ぐようにフィルター３３が設置される。
【００８３】
フィルター３３は、例えば第２容器３に保管された粘着テープ３４により第１容器蓋１９に取り付けられる。また、フィルター３３の取付面に両面テープが設けられてもよく、また、他の方法により取り付けられてもよい。
【００８４】
また、第１容器２の内壁面と撹拌容器１０が離隔されているため、反応熱により第１容器２が高温となることがなく、誤って火傷することを抑制できる。また、撹拌容器１０から糞尿処理袋２２が離隔されているため、反応熱よりも融点の低い材料により作製された糞尿処理袋２２を使用することができる。
【００８５】
糞尿の反応が終了すると、図１５に示すように、止め部１５から撹拌容器回転軸１２のレバー１４を開放し、糞尿収容口１３が下を向くまで撹拌容器１０を回転させる。これにより、撹拌容器１０の内部の顆粒状の処理物を糞尿処理袋２２の中に落とすことができる。この後、図１６に示すように、第１容器２を第２容器３から取り外し、糞尿処理袋２２の紐を縛って取り出して、処理が完了する。
【００８６】
また、第１容器２を第２容器３から取り外した後に、接着剤や油等を水やアルコール等で希釈させた溶液を処理物に噴霧すれば、粉末状の処理物の飛散を防止することができる。
【００８７】
なお、糞尿処理袋２２による処理物の回収は、一回の処理毎ではなく数回毎に行うこともできる。
【００８８】
また、簡易トイレ１が使用され、第１容器蓋１９が被せられた後に、図１７に示すような段ボール製の筐体であるトイレ用防熱部材７０を、簡易トイレ１に被せることもできる。トイレ用防熱部材７０は、第１容器蓋１９の排気孔２０または簡易トイレ１の穴部７に対応して防熱部材穴部７１が形成され、この防熱部材穴部７１が設けられる面と反対面が開放されている。また、トイレ用防熱部材７０には、開放されている側から伸延するスリット（露出穴）７２が設けられ、さらに、スリット７２が設けられる面の反対面にレバー用穴（露出穴）７３が設けられる。
【００８９】
トイレ用防熱部材７０は、図１８に示すように、開放された面から簡易トイレ１に被せられる。これにより、レバー１４がレバー用穴７３から露出し、ハンドル２４がスリット７２から露出する。したがって、簡易トイレ１にトイレ用防熱部材７０を被せた後でも、レバー１４やハンドル２４を操作することができる。なお、レバー用穴７３とスリット７２のように一方がスリットで設けられることにより、トイレ用防熱部材７０を被せることが容易となり、さらに両方がスリットとなっていないため、トイレ用防熱部材７０の強度を高く保持することができる。
【００９０】
このトイレ用防熱部材７０は、糞尿と糞尿処理剤３０の反応により発生する蒸気を防熱部材穴部７１から排出することができ、蒸気により熱せられる簡易トイレ１を覆うことにより、火傷等の発生を防止することができる。
【００９１】
このトイレ用防熱部材７０は、保管時には、図１９に示すように、簡易トイレ１の上下に２つ被せられ、さらにその外側を段ボール箱により梱包される。または、簡易トイレ１の上下に２つ被せられ、互いにミシン目により連結されて簡易トイレ１の梱包用ケースとして用いられてもよい。このように２つのトイレ用防熱部材７０を備えることにより、一方が使用により破損しても、他方のトイレ用防熱部材７０を使用することができる。
【００９２】
以上のように、本実施形態に係る簡易トイレは、汎用のペール缶を用いて作製できるため、大量生産が容易であり、コストを低減することが可能である。また、ペール缶は密封性に優れるとともに、上からの加重に強い構造となっているため、複数の簡易トイレを省スペースに重ねて保管することができる。
【００９３】
また、第１容器２と第２容器３が勘合することにより連結されるため、使用時に互いに外れる危険性が非常に少なく、また第２容器と第１容器を容易に連結・離脱させることができるため、糞尿の回収が容易である。
【００９４】
また、処理後の処理物が糞尿処理袋２２の中に落とされるため、誰でも手を汚さずに容易に使用できる。
【００９５】
また、糞尿を顆粒状で、殆ど匂いのない乾いた状態のものに処理することができるため、多量の糞尿を処理可能な時期まで保管することができる。
【００９６】
また、手動で撹拌を行い、糞尿に糞尿処理剤３０を混合するだけなので、電源のないところでも糞尿を用意に処理できる。
【００９７】
＜第２実施形態＞
次に、本発明に係る第２実施形態について説明する。
【００９８】
図２０は第２の実施形態に係る簡易トイレを示す縦断面図、図２１は第２の実施形態に係る簡易トイレの撹拌容器の動作を示す側面図であり、（A）は回転前、（B）は回転中、（C）は回転後を示し、図２２は第２の実施形態に係る簡易トイレに蓋状フィルターを設置した際を示す斜視図、図２３は同蓋状フィルターの断面図である。なお、第１実施形態と同一の機能を有する部材については同一の符号を付し、説明を省略する。
【００９９】
第２実施形態に係る簡易トイレ８０は、撹拌容器８１の形状が第１実施形態と異なる。
【０１００】
本実施形態の撹拌容器８１は、図２０に示すように、外表面が半球形状である半球形状部８２と、筒形状である筒部８３とが設けられる。このように撹拌容器８１に半球形状部８２が設けられるため、図２１のように撹拌容器８１を回転させる際に、撹拌容器８１を第１容器８４の内壁に接触させることなく、第１容器８４内の広範囲を撹拌容器８１で占めることができる。したがって、撹拌容器８１と第１容器８４の間の隙間が小さく、第１実施形態のように撹拌容器８１に糞尿を導くための受け部８を設置する必要がない。このため、使用後に、受け部８を清掃する必要ない。
【０１０１】
また、撹拌容器８１と第１容器８４の間の隙間が小さいため、撹拌容器８１を回転させて処理物を糞尿処理袋２２の中に落とす際に、処理物が粉塵となって再び上方へ巻き上がることを防ぐことができる。
【０１０２】
また、撹拌容器８１内も球面形状であり、糞尿が滞留するような角部が存在しないため、糞尿の処理においても有効である。
【０１０３】
また、撹拌容器８１の全体を半球形状とするのではなく筒部８３を設けることにより、撹拌容器８１に撹拌軸１７を挿入するための穴を開けるための加工を容易に行うことができる。また、加工が可能であれば、筒部８３を形成しなくてもよい。
【０１０４】
なお、撹拌容器８１と第１容器８４の間に隙間が設けられるため、半球形状部８２は、必ずしも厳密な半球形状でなくても良い。
【０１０５】
第１容器８４には、第１実施形態では第１容器蓋１９が被さられるが、第２実施形態では第１容器蓋１９ではなく、図２２，２３に示すように、耐熱性の不織布により形成された、一端が閉じた筒形状の蓋状フィルター８５が被せられる。蓋状フィルター８５は、全体がフィルターしての機能を果し、また内部には活性炭の層８６が形成される。このような蓋状フィルター８５を用いることにより、糞尿および糞尿処理剤の反応により発生する水蒸気を外部へ排出しつつ、処理物の粉末や臭気の拡散を防止することができる。また、蓋状フィルター８５は、蒸気により熱せられる簡易トイレ１を覆うことにより断熱材としての機能も果し、火傷等の発生を防止することができる。なお、不織布自体がフィルターの機能を有するため、必ずしも内部に活性炭の層８６を設けなくても良い。
【０１０６】
また、本実施形態では、第１実施形態に適用される第１容器蓋１９（１９’）は適用されていないが使用されないが、蓋状フィルター８５の代わりに用いてもよく、また蓋状フィルター８５とともに使用してもよい。
【０１０７】
＜第３実施形態＞
次に、本発明に係る第３実施形態について説明する。
【０１０８】
図２４は第３の実施形態に係る簡易トイレを示す側面図、図２５は第３の実施形態に係る簡易トイレの下部を示す部分斜視図、図２６は第３の実施形態に係る簡易トイレの縦断面図を示す。なお、第１実施形態と同一の機能を有する部材については同一の符号を付し、説明を省略する。
【０１０９】
第３実施形態に係る簡易トイレ９０は、図２３〜２４に示すように、第１容器９１の下端が閉じられており、下端の側面に第１容器開口部９２が設けられている。この第１容器開口部９１には、開閉可能な開閉蓋３１がヒンジ３２により取り付けられている。
【０１１０】
第１容器９１の内部には、第２容器としてのトレイ９３が設置される。このトレイ９３は、第１容器開口部９２から容易に取り入れ、または取り出すことができる。したがって、第１実施形態と同様の手順で撹拌容器１０により処理された糞尿をトレイ９３で受けることができ、トレイ９３で受けた処理物を第１容器開口部９２から外部へ容易に取り出すことができる。また、トレイ９３に糞尿処理袋を被せても良い。
【０１１１】
第２実施形態では、保管時の糞尿処理袋２２および糞尿処理剤３０は、トレイ９３に乗せて第１容器開口部９２から第１容器９１内に収納するか、またはトレイ９３に乗せずに第１容器開口部９２から収納することができる。また、別途保管してもよい。
【０１１２】
＜第４実施形態＞
次に、本発明に係る第４実施形態について説明する。
【０１１３】
図２７は第４の実施形態に係る簡易トイレの縦断面図、図２８は第４の実施形態に係る簡易トイレの第１容器の下方の部分拡大斜視図である。なお、第１実施形態と同一の機能を有する部材については同一の符号を付し、説明を省略する。
【０１１４】
第４の実施形態に係る簡易トイレ１００は、第１の実施形態、第２の実施形態または第２の実施形態の構造を備えた上で、更に、第１，第２または第３の実施形態の第１容器２，８４，９１の内部下方に、顆粒状の処理物を導くためのシュートが設けられた形態である。なお、図２７，２８は、第１の実施形態の構造を用いて示されている。
【０１１５】
第４の実施形態に係る簡易トイレ１００の第１容器１０１は、図２７，２８に示すように、撹拌容器１０から落とされた顆粒状の処理物が下方へ滑り落ちるように、穴部７が設けられる側の反対方向に傾斜する２つのシュート２７Ａ，２７Ｂが、上下して配置されている。これにより、シュート２７Ａ，２７Ｂを滑って糞尿処理袋２２の中に落ちた処理物が、粉塵となって再び上方へ巻き上がることを防ぐことができる。
【０１１６】
図２９は第４の実施形態に係る簡易トイレの変形例を示す縦断面図、図３０は同簡易トイレの変形例の第１容器の下方の部分拡大斜視図、図３１は第４の実施形態に係る簡易トイレの他の変形例を示す縦断面図、図３２は同簡易トイレの他の変形例の第１容器の下方の部分拡大斜視図である。
【０１１７】
第４の実施形態に係る簡易トイレの変形例は、図２９，３０に示すように、穴部７が設けられる側の反対方向に傾斜する１つのシュート２８を有している。これにより、シュート２８を滑って糞尿処理袋２２の中に落ちた処理物が、粉塵となって再び上方へ巻き上がることを防ぐことができる。
【０１１８】
また、第４の実施形態に示す簡易トイレ１００の他の変形例として、図３１，３２に示すように、中央に向かって、穴部７が設けられる側の反対方向に傾斜する漏斗形状のシュート２９を設けることもできる。これにより、シュート２９を滑って糞尿処理袋２２の中に落ちた処理物が、粉塵となって再び上方へ巻き上がることを防ぐことができる。
【０１１９】
なお、本発明は上述した実施の形態に限定されるものではなく、本発明の技術的思想の範囲内で種々改変することができる。例えば、撹拌翼の翼の枚数を変更したり、翼の形状を例えば螺旋形状したりすることもできる。また、ハンドルと撹拌翼の間にギアを介在させて、撹拌翼の回転軸を縦方向とすることもできる。また、撹拌容器を回転させるのではなく、撹拌容器の下面を開閉可能とすることにより処理済みの糞尿を排出させることもできる。また、撹拌翼の回転をハンドルにより行うのではなく、例えばペダル式にしたり、ゼンマイに一時的に動力を保持させた後に回転力を与えることもできる。また、第１容器２を第２容器３の第２容器開口部４に嵌合させるのではなく、第２容器３を第１容器２の第１容器開口部６に嵌合させるようにすることもできる。
【０１２０】
また、例えば、図３３に示すように、容器４１の内部に溜めた糞尿を、容器４１の上端に取り付けられるＵ字型の取り付け部４２に着脱自在のハンドル４３を取り付けた形態とすることもできる。このハンドル４３は、ギア４４を介してハンドル４３の軸心と交差する方向に延びる撹拌翼４５を回転させることができる。これにより、容器４１内に溜めた糞尿に糞尿処理剤を混合させることができる。
【０１２１】
また、例えば図３４に示すように、容器５１の中央部に傾斜して設けられる傾斜板５２と、開閉自在であってバネ５３により付勢された開閉板５４を有する形態とすることもできる。このような形態にすることにより、傾斜板５２と開閉板５４の上に投入された糞尿が、傾斜板５２が傾斜して設置されていることにより開閉板５４側に集められる。この後、ハンドル５５により回転される撹拌翼５６により糞尿と糞尿処理剤を混合し、処理が終了後、ペダル５７を踏んで開閉板５４を下方に開いて処理物を下段へ投下することができる。これにより、容器５１の下部に処理物を保管することができ、一定量溜まった後にまとめて廃棄することができる。
【０１２２】
また、トイレ用防熱部材７０や蓋状フィルター８５は、他の実施形態にも適用できる。
【図面の簡単な説明】
【０１２３】
【図１】第１実施形態に係る簡易トイレの保管時の状態を示す全体斜視図である。
【図２】第１実施形態に係る簡易トイレの第２容器を示す斜視図である。
【図３】第２容器の縦断面図である。
【図４】第１実施形態に係る簡易トイレの第１容器を示す斜視図である。
【図５】第１容器の縦断面図である。
【図６】図５のＶＩ−ＶＩ線に沿う断面図である。
【図７】図６のＶＩＩ−ＶＩＩ線に沿う断面図である。
【図８】第１容器の外周に設けられるレバーを説明するための第１容器の部分斜視図である。
【図９】第１実施形態に係る簡易トイレの第１容器蓋の他の例を示す斜視図である。
【図１０】第１実施形態に係る便座イスを示す斜視図である。
【図１１】第１実施形態に係る簡易トイレの使用例を示す全体斜視図である。
【図１２】糞尿と糞尿処理剤を混合する際の簡易トイレの縦断面図である。
【図１３】糞尿と糞尿処理剤が反応する際の簡易トイレの縦断面図である。
【図１４】第２容器蓋の下面を示す平面図である。
【図１５】処理された糞尿を処理容器から排出する際の簡易トイレの縦断面図である。
【図１６】処理された糞尿を回収した糞尿処理袋を取り出す際の簡易トイレの縦断面図である。
【図１７】トイレ用防熱部材を示す斜視図である。
【図１８】トイレ用防熱部材を使用した際の簡易トイレを示す斜視図である。
【図１９】トイレ用防熱部材を備えた簡易トイレを保管する際を示す斜視図である。
【図２０】第２の実施形態に係る簡易トイレを示す縦断面図である。
【図２１】第２の実施形態に係る簡易トイレの撹拌容器の動作を示す側面図であり、（A）は回転前、（B）は回転中、（C）は回転後を示す。
【図２２】第２の実施形態に係る簡易トイレに蓋状フィルターを設置した際を示す斜視図である。
【図２３】同蓋状フィルターの断面図である。なお、第１実施形態と同一の機能を有する部材については同一の符号を付し、説明を省略する。
【図２４】第３実施形態に係る簡易トイレを示す側面図である。
【図２５】第３実施形態に係る簡易トイレの下部を示す部分斜視図である。
【図２６】第３実施形態に係る簡易トイレの縦断面図である。
【図２７】第４の実施形態に係る簡易トイレの縦断面図である。
【図２８】第４の実施形態に係る簡易トイレの第１容器の下方の部分拡大斜視図である。
【図２９】第４の実施形態に係る簡易トイレの変形例を示す縦断面図である。
【図３０】第４の実施形態に係る簡易トイレの変形例の第１容器の下方の部分拡大斜視図である。
【図３１】第４の実施形態に係る簡易トイレの他の変形例を示す縦断面図である。
【図３２】同簡易トイレの他の変形例の第１容器の下方の部分拡大斜視図である。
【図３３】簡易トイレの他の例を示す斜視図である。
【図３４】簡易トイレの更に他の例を示す斜視図である。
【符号の説明】
【０１２４】
１，８０，９０，１００    簡易トイレ、
２，８４，９１，１０１    第１容器、
２Ａ    開口穴、
３，９３    第２容器、
４    第２容器開口部、
５    第２容器蓋、
６，９２    第１容器開口部、
７    穴部、
８    受け部、
９    リード、
１０，８１    撹拌容器、
１１    第１軸受部、
１２    撹拌容器回転軸、
１３    糞尿収容口、
１４    レバー、
１５    止め部、
１６    撹拌翼、
１７    撹拌軸、
１８    第２軸受、
１９，１９’    第１容器蓋、
２０，２０’    排気孔、
２２    糞尿処理袋、
２３    便座イス、
２７，２８，２９    シュート、
３０    糞尿処理剤、
３３    フィルター、
６０    便座シート、
６１    シート穴、
６２    切り込み、
６３    シート突出部、
７０    トイレ用防熱部材、
７１    防熱部材穴部、
７２    スリット（露出穴）、
７３    レバー用穴（露出穴）、
８２    半球形状部、
８３    筒部、
８５    蓋状フィルター、
８６    活性炭の層。
【図１】
2007136154.tif 000003
【図２】
2007136154.tif 000004
【図３】
2007136154.tif 000005
【図４】
2007136154.tif 000006
【図５】
2007136154.tif 000007
【図６】
2007136154.tif 000008
【図７】
2007136154.tif 000009
【図８】
2007136154.tif 000010
【図９】
2007136154.tif 000011
【図１０】
2007136154.tif 000012
【図１１】
2007136154.tif 000013
【図１２】
2007136154.tif 000014
【図１３】
2007136154.tif 000015
【図１４】
2007136154.tif 000016
【図１５】
2007136154.tif 000017
【図１６】
2007136154.tif 000018
【図１７】
2007136154.tif 000019
【図１８】
2007136154.tif 000020
【図１９】
2007136154.tif 000021
【図２０】
2007136154.tif 000022
【図２１】
2007136154.tif 000023
【図２２】
2007136154.tif 000024
【図２３】
2007136154.tif 000025
【図２４】
2007136154.tif 000026
【図２５】
2007136154.tif 000027
【図２６】
2007136154.tif 000028
【図２７】
2007136154.tif 000029
【図２８】
2007136154.tif 000030
【図２９】
2007136154.tif 000031
【図３０】
2007136154.tif 000032
【図３１】
2007136154.tif 000033
【図３２】
2007136154.tif 000034
【図３３】
2007136154.tif 000035
【図３４】
2007136154.tif 000036
【手続補正書】
【提出日】平成18年6月14日(2006.6.14)
【手続補正１】
【補正対象書類名】図面
【補正対象項目名】図９
【補正方法】変更
【補正の内容】
【図９】
2007136154.tif 000037
【手続補正２】
【補正対象書類名】図面
【補正対象項目名】図１４
【補正方法】変更
【補正の内容】
【図１４】
2007136154.tif 000038
【手続補正３】
【補正対象書類名】図面
【補正対象項目名】図１７
【補正方法】変更
【補正の内容】
【図１７】
2007136154.tif 000039
【手続補正４】
【補正対象書類名】図面
【補正対象項目名】図１８
【補正方法】変更
【補正の内容】
【図１８】
2007136154.tif 000040
【手続補正５】
【補正対象書類名】図面
【補正対象項目名】図１９
【補正方法】変更
【補正の内容】
【図１９】
2007136154.tif 000041
【手続補正６】
【補正対象書類名】図面
【補正対象項目名】図２０
【補正方法】変更
【補正の内容】
【図２０】
2007136154.tif 000042
【手続補正７】
【補正対象書類名】図面
【補正対象項目名】図２１
【補正方法】変更
【補正の内容】
【図２１】
2007136154.tif 000043
【手続補正８】
【補正対象書類名】図面
【補正対象項目名】図２２
【補正方法】変更
【補正の内容】
【図２２】
2007136154.tif 000044
【手続補正９】
【補正対象書類名】図面
【補正対象項目名】図２３
【補正方法】変更
【補正の内容】
【図２３】
2007136154.tif 000045
【手続補正１０】
【補正対象書類名】図面
【補正対象項目名】図２７
【補正方法】変更
【補正の内容】
【図２７】
2007136154.tif 000046
【手続補正１１】
【補正対象書類名】図面
【補正対象項目名】図２８
【補正方法】変更
【補正の内容】
【図２８】
2007136154.tif 000047
【手続補正１２】
【補正対象書類名】図面
【補正対象項目名】図２９
【補正方法】変更
【補正の内容】
【図２９】
2007136154.tif 000048
【手続補正１３】
【補正対象書類名】図面
【補正対象項目名】図３０
【補正方法】変更
【補正の内容】
【図３０】
2007136154.tif 000049
【手続補正１４】
【補正対象書類名】図面
【補正対象項目名】図３１
【補正方法】変更
【補正の内容】
【図３１】
2007136154.tif 000050
【手続補正１５】
【補正対象書類名】図面
【補正対象項目名】図３２
【補正方法】変更
【補正の内容】
【図３２】
2007136154.tif 000051
【手続補正１６】
【補正対象書類名】図面
【補正対象項目名】図３３
【補正方法】変更
【補正の内容】
【図３３】
2007136154.tif 000052
【手続補正書】
【提出日】平成18年6月14日(2006.6.14)
【手続補正１】
【補正対象書類名】図面
【補正対象項目名】図１８
【補正方法】変更
【補正の内容】
【図１８】
2007136154.tif 000053